(57)【要約】【課題】ネットワークの伝送容量を多く必要としないこと。【解決手段】複数のヘッドエンド装置１０−１，１０−２と監視制御装置３０を有し、ヘッドエンド装置は、アンテナを介して入力された衛星放送信号または他のヘッドエンド装置からネットワークを介して送信された衛星放送信号のいずれかを選択して加入者宅内装置に配信し、監視制御装置は、複数のヘッドエンド装置のアンテナから入力される衛星放送信号の品質を検出し、品質が相対的に良いヘッドエンド装置に対してアンテナからの衛星放送信号をネットワークを介して送信させるとともに加入者宅内装置に配信させ、他のヘッドエンド装置にはネットワークを介した送信を停止させるとともにネットワークを介して受信した衛星放送信号を配信させる。【選択図】図１
2020005076.tif 000002
【特許請求の範囲】
【請求項１】
複数のヘッドエンド装置、監視制御装置、および、ネットワークを有する放送システムにおいて、
前記ヘッドエンド装置は、
アンテナによって受信された衛星放送信号を入力する入力手段と、
前記入力手段を介して入力された前記衛星放送信号を前記ネットワークを介して他の前記ヘッドエンド装置に対して送信する送信手段と、
他の前記ヘッドエンド装置から前記ネットワークを介して送信された前記衛星放送信号を受信する受信手段と、
前記入力手段を介して入力された前記衛星放送信号および前記受信手段によって受信された前記衛星放送信号のうち信号の品質が良い方を選択する選択手段と、
前記選択手段によって選択された前記衛星放送信号を加入者宅内装置に対して配信する配信手段と、を有し、
前記監視制御装置は、
複数の前記ヘッドエンド装置の前記入力手段を介して入力される前記衛星放送信号の品質を検出する検出手段と、
前記検出手段によって品質が相対的に良いことが検出された前記ヘッドエンド装置の前記送信手段に対して前記衛星放送信号を前記ネットワークを介して他の前記ヘッドエンド装置に対して送信するように制御する制御手段と、を有する、
ことを特徴とする放送システム。
【請求項２】
前記検出手段によって品質が相対的に良いことが検出された前記ヘッドエンド装置から前記ネットワークを介して送信された前記衛星放送信号を受信する受信手段と、
前記受信手段によって受信された前記衛星放送信号を前記加入者宅内装置に対して配信する配信手段と、を有する簡易型ヘッドエンド装置をさらに有する、
ことを特徴とする請求項１に記載の放送システム。
【請求項３】
前記ヘッドエンド装置を３台以上有し、
前記監視制御装置は、
前記検出手段は、３台以上の前記ヘッドエンド装置のうち、前記入力手段から入力される前記衛星放送信号の品質が１番目に良いもの、２番目に良いもの、３番目以降に良いものを検出し、
前記制御手段は、前記衛星放送信号の品質が１番目と２番目に良い前記ヘッドエンド装置の前記送信手段に対して、前記衛星放送信号を前記ネットワークを介して他の前記ヘッドエンド装置に対して送信するように制御するとともに、３番目以降に良い前記ヘッドエンド装置の前記送信手段に対して送信を停止するように制御し、
１番目に品質が良い前記ヘッドエンド装置の前記選択手段は前記入力手段を介して入力された前記衛星放送信号を選択し、２番目および３番目以降に品質が良い前記ヘッドエンド装置の前記選択手段は前記受信手段によって受信された１番目に品質が良い前記ヘッドエンド装置からの前記衛星放送信号を選択する、
ことを特徴とする請求項１または２に記載の放送システム。
【請求項４】
前記検出手段によって前記衛星放送信号の品質が１番目に良いことが検出された前記ヘッドエンド装置の品質が劣化したことが検出された場合、２番目に品質が良い前記ヘッドエンド装置の前記選択手段は前記入力手段から入力された前記衛星放送信号を選択し、１番目および３番目以降に品質が良い前記ヘッドエンド装置の前記選択手段は前記受信手段によって受信された２番目に品質が良い前記ヘッドエンド装置からの前記衛星放送信号を選択する、
ことを特徴とする請求項３に記載の放送システム。
【請求項５】
前記検出手段によって前記衛星放送信号の品質が３番目以降に良いことが検出された前記ヘッドエンド装置の品質が１番目または２番目に品質が良い前記ヘッドエンド装置よりも良くなった場合には、前記制御手段は、１番目または２番目の前記送信手段のうち品質が悪い側の前記送信手段に対して送信を停止するように制御し、
前記選択手段は、送信を停止する前に停止されない側の前記ヘッドエンド装置からの前記衛星放送信号を選択する、
ことを特徴とする請求項３または４に記載の放送システム。
【請求項６】
複数のヘッドエンド装置、監視制御装置、および、ネットワークを有する放送システムの制御方法において、
前記ヘッドエンド装置は、
アンテナによって受信された衛星放送信号を入力する入力ステップと、
前記入力ステップを介して入力された前記衛星放送信号を前記ネットワークを介して他の前記ヘッドエンド装置に対して送信する送信ステップと、
他の前記ヘッドエンド装置から前記ネットワークを介して送信された前記衛星放送信号を受信する受信ステップと、
前記入力ステップを介して入力された前記衛星放送信号および前記受信ステップにおいて受信された前記衛星放送信号のうち信号の品質が良い方を選択する選択ステップと、
前記選択ステップにおいて選択された前記衛星放送信号を加入者宅内装置に対して配信する配信ステップと、を有し、
前記監視制御装置は、
複数の前記ヘッドエンド装置の前記入力ステップを介して入力される前記衛星放送信号の品質を検出する検出ステップと、
前記検出ステップにおいて品質が相対的に良いことが検出された前記ヘッドエンド装置の前記送信ステップに対して前記衛星放送信号を前記ネットワークを介して他の前記ヘッドエンド装置に対して送信するように制御する制御ステップと、を有する、
ことを特徴とする放送システムの制御方法。
【発明の詳細な説明】
【技術分野】
【０００１】
本発明は、放送システムおよび放送システムの制御方法に関するものである。
【背景技術】
【０００２】
特許文献１には、複数のアンテナによって受信されたデジタル放送信号を復調し、ストリーム同期部によって同期した後、ストリーム合成部で合成して出力する技術が開示されている。
【先行技術文献】
【特許文献】
【０００３】
【特許文献１】特開２００２−３５９６１０号公報
【発明の概要】
【発明が解決しようとする課題】
【０００４】
ところで、特許文献１に開示された技術は、電車や自動車等に適用される技術である。このため、複数のアンテナがごく近くに配置されることを前提とすることから、例えば、降雨減衰等に対応することができないという問題点がある。
【０００５】
そこで、本発明は、降雨減衰等にも対応可能な放送システムおよび放送システムの制御方法を提供することを目的としている。
【課題を解決するための手段】
【０００６】
上記課題を解決するために、本発明は、複数のヘッドエンド装置、監視制御装置、および、ネットワークを有する放送システムにおいて、前記ヘッドエンド装置は、アンテナによって受信された衛星放送信号を入力する入力手段と、前記入力手段を介して入力された前記衛星放送信号を前記ネットワークを介して他の前記ヘッドエンド装置に対して送信する送信手段と、他の前記ヘッドエンド装置から前記ネットワークを介して送信された前記衛星放送信号を受信する受信手段と、前記入力手段を介して入力された前記衛星放送信号および前記受信手段によって受信された前記衛星放送信号のうち信号の品質が相対的に良い方を選択する選択手段と、前記選択手段によって選択された前記衛星放送信号を加入者宅内装置に対して配信する配信手段と、を有し、前記監視制御装置は、複数の前記ヘッドエンド装置の前記入力手段を介して入力される前記衛星放送信号の品質を検出する検出手段と、前記検出手段によって品質が相対的に良いことが検出された前記ヘッドエンド装置の前記送信手段に対して前記衛星放送信号を前記ネットワークを介して他の前記ヘッドエンド装置に対して送信するように制御する制御手段と、を有する、ことを特徴とする。
このような構成によれば、降雨減衰等にも対応可能な放送システムを提供することができる。
【０００７】
また、本発明は、前記検出手段によって品質が相対的に良いことが検出された前記ヘッドエンド装置から前記ネットワークを介して送信された前記衛星放送信号を受信する前記受信手段と、前記受信手段によって受信された前記衛星放送信号を前記加入者宅内装置に対して配信する配信手段と、を有する簡易型ヘッドエンド装置を有する、ことを特徴とする。
このような構成によれば、簡易型ヘッドエンド装置を用いて衛星放送信号を配信することができる。
【０００８】
また、本発明は、前記ヘッドエンド装置を３台以上有し、前記監視制御装置は、前記検出手段は、３台以上の前記ヘッドエンド装置のうち、前記入力手段から入力される前記衛星放送信号の品質が１番目に良いもの、２番目に良いもの、３番目以降に良いものを検出し、前記制御手段は、前記衛星放送信号の品質が１番目と２番目に良い前記ヘッドエンド装置の前記送信手段に対して、前記衛星放送信号を前記ネットワークを介して他の前記ヘッドエンド装置に対して送信するように制御するとともに、３番目以降に良い前記ヘッドエンド装置の前記送信手段に対して送信を停止するように制御し、１番目に品質が良い前記ヘッドエンド装置の前記選択手段は前記入力手段を介して入力された前記衛星放送信号を選択し、２番目および３番目以降に品質が良い前記ヘッドエンド装置の前記選択手段は前記受信手段によって受信された１番目に品質が良い前記ヘッドエンド装置からの前記衛星放送信号を選択する、ことを特徴とする。
このような構成によれば、ネットワークの伝送容量を多く必要としないとともに、拠点多重化を行うことができる。
【０００９】
また、本発明は、前記検出手段によって前記衛星放送信号の品質が１番目に良いことが検出された前記ヘッドエンド装置の品質が劣化したことが検出された場合、２番目に品質が良い前記ヘッドエンド装置の前記選択手段は前記入力手段から入力された前記衛星放送信号を選択し、１番目および３番目以降に品質が良い前記ヘッドエンド装置の前記選択手段は前記受信手段によって受信された２番目に品質が良い前記ヘッドエンド装置からの前記衛星放送信号を選択する、ことを特徴とする。
このような構成によれば、降雨減衰等によって衛星放送信号の品質が劣化した場合に、配信する衛星放送信号をシームレスに切り換えることができる。
【００１０】
また、本発明は、前記検出手段によって前記衛星放送信号の品質が３番目以降に良いことが検出された前記ヘッドエンド装置の品質が１番目または２番目に品質が良い前記ヘッドエンド装置よりも良くなった場合には、前記制御手段は、１番目または２番目の前記送信手段のうち品質が悪い側の前記送信手段に対して送信を停止するように制御し、前記選択手段は、送信を停止する前に停止されない側の前記ヘッドエンド装置からの前記衛星放送信号を選択する、ことを特徴とする。
このような構成によれば、降雨減衰等によって衛星放送信号の品質が劣化した場合に、伝送容量を増加することなく、配信する衛星放送信号をシームレスに切り換えることができる。
【００１１】
また、本発明は、複数のヘッドエンド装置、監視制御装置、および、ネットワークを有する放送システムの制御方法において、前記ヘッドエンド装置は、アンテナによって受信された衛星放送信号を入力する入力ステップと、前記入力ステップを介して入力された前記衛星放送信号を前記ネットワークを介して他の前記ヘッドエンド装置に対して送信する送信ステップと、他の前記ヘッドエンド装置から前記ネットワークを介して送信された前記衛星放送信号を受信する受信ステップと、前記入力ステップを介して入力された前記衛星放送信号および前記受信ステップにおいて受信された前記衛星放送信号のうち信号の品質が良い方を選択する選択ステップと、前記選択ステップにおいて選択された前記衛星放送信号を加入者宅内装置に対して配信する配信ステップと、を有し、前記監視制御装置は、複数の前記ヘッドエンド装置の前記入力ステップを介して入力される前記衛星放送信号の品質を検出する検出ステップと、前記検出ステップにおいて品質が相対的に良いことが検出された前記ヘッドエンド装置の前記送信ステップに対して前記衛星放送信号を前記ネットワークを介して他の前記ヘッドエンド装置に対して送信するように制御する制御ステップと、を有する、ことを特徴とする。
このような方法によれば、降雨減衰等にも対応可能な放送システムの制御方法を提供することができる。
【発明の効果】
【００１２】
本発明によれば、降雨減衰等にも対応可能な放送システムおよび放送システムの制御方法を提供することができる。
【図面の簡単な説明】
【００１３】
【図１】本発明の第１実施形態の放送システムの構成例を示す図である。
【図２】図１に示すヘッドエンド装置の構成例を示す図である。
【図３】図１に示す監視制御装置の構成例を示す図である。
【図４】図３に示す監視制御装置において実行される処理の一例を説明するためのフローチャートである。
【図５】図２に示すヘッドエンド装置において実行される処理の一例を説明するためのフローチャートである。
【図６】本発明の第２実施形態の放送システムの構成例を示す図である。
【図７】図６で新たに追加されたヘッドエンド装置の構成例を示す図である。
【図８】本発明の第３実施形態の放送システムの構成例を示す図である。
【図９】図８に示すヘッドエンド装置の構成例を示す図である。
【図１０】図８に示す第３実施形態の動作を説明するための図である。
【図１１】図８に示す監視制御装置において実行される処理の一例を説明するためのフローチャートである。
【図１２】図８に示すヘッドエンド装置において実行される処理の一例を説明するためのフローチャートである。
【図１３】図８に示す監視制御装置において実行される処理の一例を説明するためのフローチャートである。
【図１４】第１実施形態の変形実施形態の動作の一例を説明するためのフローチャートである。
【図１５】第１実施形態の変形実施形態の動作の一例を説明するためのフローチャートである。
【発明を実施するための形態】
【００１４】
次に、本発明の実施形態について説明する。
【００１５】
（Ａ）本発明の第１実施形態の構成の説明
図１は、本発明の第１実施形態に係る放送システムの構成の一例を示す図である。図１に示すように、本発明の第1実施形態に係る放送システム１は、ヘッドエンド装置Ａ１０−１（以下、適宜「ヘッドエンド装置Ａ」または「ヘッドエンド装置１０−１」と称する）、ヘッドエンド装置Ｂ１０−２（以下、適宜「ヘッドエンド装置Ｂ」または「ヘッドエンド装置１０−２」と称する）、加入者宅内装置２０−１，２０−２、監視制御装置３０、および、ネットワーク５０を有している。
【００１６】
ここで、ヘッドエンド装置１０−１は、図示しない放送衛星から送信される、ＢＳ（Broadcasting Satellite）放送、高度ＢＳ放送、ＣＳ（Communication Satellite）放送、および／または、高度広帯域ＣＳ放送等の衛星放送信号を受信し、ネットワーク５０を介してヘッドエンド装置１０−２に送信するとともに、衛星放送信号を配下の加入者宅内装置２０−１に配信する。ヘッドエンド装置１０−２は、図示しない放送衛星から送信される、ＢＳ放送、高度ＢＳ放送、ＣＳ放送、および／または、高度広帯域ＣＳ放送等の衛星放送信号を受信し、ネットワーク５０を介してヘッドエンド装置１０−１に送信するとともに、衛星放送信号を配下の加入者宅内装置２０−２に配信する。
【００１７】
監視制御装置３０は、ヘッドエンド装置１０−１，１０−２によって受信された衛星放送信号の品質を監視するとともに、ヘッドエンド装置１０−１，１０−２を制御する。
【００１８】
加入者宅内装置２０−１は、加入者の宅内に配置され、ヘッドエンド装置１０−１から供給されるＣＡＴＶ放送信号を受信し、衛星放送信号を復調し、図示しないテレビジョン受像機に供給して再生させる。加入者宅内装置２０−２も同様に、加入者の宅内に配置され、ヘッドエンド装置１０−２から供給されるＣＡＴＶ放送信号を受信し、衛星放送信号を復調し、図示しないテレビジョン受像機に供給して再生させる。
【００１９】
ネットワーク５０は、例えば、ＩＰ（Internet Protocol）に基づいて動作するネットワークであり、ヘッドエンド装置１０−１，１０−２および監視制御装置３０の間でパケットによってデータを送受信する。
【００２０】
図２は、図１に示すヘッドエンド装置１０−１，１０−２の構成例を示す図である。なお、ヘッドエンド装置１０−１，１０−２の構成は同様であるので、以下では、これらをヘッドエンド装置１０として説明する。
【００２１】
図２に示す例では、ヘッドエンド装置１０は、アンテナ１１、復調部１２、切換部１３、ＣＡＴＶ出力部１４、ＩＰ送信部１５、および、ＩＰ受信部１６を有している。
【００２２】
ここで、アンテナ１１は、図示しない放送衛星から送信される衛星放送信号を受信し、中間周波数帯の信号に変換して出力する。
【００２３】
復調部１２は、アンテナ１１から供給される中間周波数帯の衛星放送信号を復調（ＴＣ８ＰＳＫ復調、ＱＰＳＫ復調、または、１６ＡＰＳＫ復調）してＴＳ（Transport Stream）またはＴＬＶ（Type Length Value）を生成して出力する。
【００２４】
切換部１３は、復調部１２から供給されるＴＳまたはＴＬＶ、および、ＩＰ受信部１６から供給されるＴＳまたはＴＬＶのいずれか一方を選択してＣＡＴＶ出力部１４に供給する。
【００２５】
ＣＡＴＶ出力部１４は、切換部１３から供給されるＴＳまたはＴＬＶを変調（例えば、ＱＡＭ（Quadrature Amplitude Modulation）変調）して出力し、加入者宅内装置２０に配信する。
【００２６】
ＩＰ送信部１５は、復調部１２から出力されるＴＳまたはＴＬＶをパケット化してネットワーク５０を介して他のヘッドエンド装置に対して送信する。ＩＰ受信部１６は、ネットワーク５０を介して他のヘッドエンド装置から送信されるパケット化されたＴＳまたはＴＬＶを受信し、パケットに含まれるＴＳまたはＴＬＶを抽出して切換部１３に供給する。
【００２７】
図３は、図１に示す監視制御装置３０の構成例を示す図である。図３に示すように、監視制御装置３０は、制御部３１、ＩＰ送信部３２、および、ＩＰ受信部３３を有している。
【００２８】
ここで、制御部３１は、例えば、ＣＰＵ（Central Processing Unit）、ＲＯＭ（Read Only Memory）、ＲＡＭ（Random Access Memory）等を有し、装置の各部を制御する。
【００２９】
ＩＰ送信部３２は、制御部３１から供給されるデータをパケット化して、ネットワーク５０を介してヘッドエンド装置１０−１，１０−２に対して送信する。
【００３０】
ＩＰ受信部３３は、ネットワーク５０を介してヘッドエンド装置１０−１，１０−２から送信されるデータを受信して、制御部３１に供給する。
【００３１】
（Ｂ）本発明の第１実施形態の動作の説明
つぎに、本発明の第１実施形態の動作について説明する。システムが起動されると、監視制御装置３０は、ヘッドエンド装置１０−１，１０−２から、それぞれが有するアンテナ１１によって受信される衛星放送信号の品質を示す情報（以下、適宜「信号品質情報」と称する）を受信する。例えば、衛星放送信号の信号品質情報として、ＭＥＲ（Modulation Error Ratio）および／またはＢＥＲ（Bit Error Rate）を用いることができる。
【００３２】
監視制御装置３０の制御部３１は、ヘッドエンド装置１０−１，１０−２から受信したＭＥＲまたはＢＥＲを参照し、衛星放送信号の品質（状態）が良い方を特定する。例えば、ヘッドエンド装置１０−２のアンテナ１１が配置されている地域に雨が降っている場合には、ヘッドエンド装置１０−２のアンテナ１１が受信する衛星放送信号の品質が降雨減衰によって悪くなるので、監視制御装置３０の制御部３１は、ヘッドエンド装置１０−１の方が衛星放送信号の品質が良いと判定する。
【００３３】
監視制御装置３０の制御部３１は、衛星放送信号の品質が良い方のヘッドエンド装置１０−１に対して、復調部１２から出力されるＴＳまたはＴＬＶをＣＡＴＶ出力部１４に供給するように指示する。これにより、品質が良い方の衛星放送信号が配下の加入者宅内装置２０−１に配信される。また、監視制御装置３０の制御部３１は、ヘッドエンド装置１０−１に対して、アンテナ１１で受信した衛星放送信号をネットワーク５０を介して、ヘッドエンド装置１０−２に送信するように制御する。この結果、ヘッドエンド装置１０−１の復調部１２による復調処理によって得られたＴＳまたはＴＬＶは、切換部１３を介してＩＰ送信部１５に供給される。ＩＰ送信部１５は、切換部１３から供給されたＴＳまたはＴＬＶをパケット化して、ネットワーク５０を介してヘッドエンド装置１０−２に送信する。
【００３４】
監視制御装置３０の制御部３１は、ヘッドエンド装置１０−２に対して、ヘッドエンド装置１０−１から受信したＴＳまたはＴＬＶをＣＡＴＶ出力部１４に供給するように切換部１３を設定するように指示する。また、監視制御装置３０の制御部３１は、ヘッドエンド装置１０−２に対して、ＩＰ送信部１５の動作を停止するように指示する。この結果、ヘッドエンド装置１０−１のＩＰ送信部１５から送信されたパケットは、ヘッドエンド装置１０−２のＩＰ受信部１６によって受信され、パケットからＴＳまたはＴＬＶが抽出され、切換部１３に供給される。切換部１３は、前述したように、監視制御装置３０からの指示によって、ＩＰ受信部１６から出力されるＴＳまたはＴＬＶをＣＡＴＶ出力部１４に出力するように設定されているので、ＴＳまたはＴＬＶはＣＡＴＶ出力部１４に供給される。
【００３５】
以上の処理により、例えば、降雨減衰等によってヘッドエンド装置１０−２のアンテナ１１によって受信される衛星放送信号の品質が悪い場合には、ヘッドエンド装置１０−１のアンテナ１１によって受信され、ネットワーク５０を介して伝送されたＴＳまたはＴＬＶがＣＡＴＶ出力部１４を介して加入者宅内装置２０−２に供給されるので、降雨減衰等の影響がある場合でも、加入者は品質の良い衛星放送を視聴することができる。
【００３６】
また、衛星放送信号の品質が悪い側のヘッドエンド装置は、ＩＰ送信部１５の動作が停止されるので、ネットワーク５０の伝送容量を少なくすることができる。
【００３７】
なお、時間の経過に伴って、ヘッドエンド装置１０−１よりもヘッドエンド装置１０−２の方が、信号品質が良い状態に変化した場合には、監視制御装置３０の制御部３１がこれを検出する。このような変化を検出した監視制御装置３０の制御部３１は、まず、ヘッドエンド装置１０−２の切換部１３を制御して、復調部１２から供給されるＴＳまたはＴＬＶをＣＡＴＶ出力部１４に供給する。この結果、加入者宅内装置２０−２には、品質が良い衛星放送信号が供給される。つぎに、監視制御装置３０の制御部３１は、ヘッドエンド装置１０−１に対して、ＩＰ送信部１５による送信を停止させる。つづいて、監視制御装置３０の制御部３１は、ヘッドエンド装置１０−２に対して復調部１２から供給されるＴＳまたはＴＬＶをＩＰ送信部１５を介してヘッドエンド装置１０−１に送信させる。つづいて、監視制御装置３０の制御部３１は、ヘッドエンド装置１０−１の切換部１３を制御し、ＩＰ受信部１６によってヘッドエンド装置１０−２から受信したＴＳまたはＴＬＶをＣＡＴＶ出力部１４に供給させる。この結果、加入者宅内装置２０−１には、ヘッドエンド装置１０−２によって受信された品質が良い衛星放送信号が供給される。
【００３８】
なお、以上では、衛星放送信号の品質が良い場合には、ヘッドエンド装置１０−１，１０−２の役割を直ちに変更するようにしたが、頻繁に変更が実行されると、衛星放送信号が途絶する場合があるので、例えば、品質が所定の閾値未満になった場合や、品質の劣化が所定の時間以上継続した場合に変更するようにしてもよい。
【００３９】
つぎに、図４および図５を参照して、第１実施形態の動作について説明する。図４は、図３に示す監視制御装置３０において実行される処理の一例を説明するためのフローチャートである。図４に示すフローチャートが開始されると、以下のステップが実行される。
【００４０】
ステップＳ１０では、監視制御装置３０の制御部３１は、２つのヘッドエンド装置１０−１，１０−２から衛星放送信号の品質を示す信号品質情報を取得する。例えば、制御部３１は、ヘッドエンド装置１０−１，１０−２から、ＭＥＲおよび／またはＢＥＲを取得する。
【００４１】
ステップＳ１１では、制御部３１は、ステップＳ１０で取得した信号品質情報を比較する。より詳細には、制御部３１は、ステップＳ１０で取得したＭＥＲおよび／またはＢＥＲを比較する。
【００４２】
ステップＳ１２では、制御部３１は、Ａ系（ヘッドエンド装置１０−１）の信号品質の方が、Ｂ系（ヘッドエンド装置１０−２）の信号品質よりも良好であるか否かを判定し、Ａ系の信号品質の方が、Ｂ系の信号品質よりも良好であると判定した場合（ステップＳ１２：Ｙ）にはステップＳ１３に進み、それ以外の場合（ステップＳ１２：Ｎ）にはステップＳ１７に進む。
【００４３】
ステップＳ１３では、制御部３１は、Ａ系に対してアンテナ１１によって受信した衛星放送信号を配信するように指示する。この結果、ヘッドエンド装置１０−１の切換部１３は、復調部１２から供給されるＴＳまたはＴＬＶを、ＣＡＴＶ出力部１４を介して加入者宅内装置２０−１に配信する。
【００４４】
ステップＳ１４では、制御部３１は、Ｂ系に対してアンテナ受信信号の送信停止を指示する。この結果、ヘッドエンド装置１０−２のＩＰ送信部１５は、ＴＳまたはＴＬＶを、ネットワーク５０を介してヘッドエンド装置１０−１に送信する動作を停止する。
【００４５】
ステップＳ１５では、制御部３１は、Ａ系に対してアンテナ１１によって受信した衛星放送信号を送信するように指示する。この結果、ヘッドエンド装置１０−１のＩＰ送信部１５は、復調部１２から供給されるＴＳまたはＴＬＶを、ネットワーク５０を介してヘッドエンド装置１０−２に送信する。
【００４６】
ステップＳ１６では、制御部３１は、Ｂ系に対してＩＰ受信信号を配信するように指示する。この結果、ヘッドエンド装置１０−２の切換部１３は、ＩＰ受信部１６から供給されるＴＳまたはＴＬＶを、ＣＡＴＶ出力部１４を介して加入者宅内装置２０−２に配信する。なお、切り換えが終了するまでは、アンテナ１１によって受信した衛星放送信号を配信する。これにより、停波が生じないようにすることができる。
【００４７】
ステップＳ１７では、制御部３１は、Ｂ系に対してアンテナ１１によって受信した衛星放送信号を配信するように指示する。この結果、ヘッドエンド装置１０−２の切換部１３は、復調部１２から供給されるＴＳまたはＴＬＶを、ＣＡＴＶ出力部１４を介して加入者宅内装置２０−２に配信する。
【００４８】
ステップＳ１８では、制御部３１は、Ａ系に対してアンテナ受信信号の送信停止を指示する。この結果、ヘッドエンド装置１０−１のＩＰ送信部１５はＴＳまたはＴＬＶを、ネットワーク５０を介してヘッドエンド装置１０−２に送信する動作を停止する。
【００４９】
ステップＳ１９では、制御部３１は、Ｂ系に対してアンテナ１１によって受信した衛星放送信号を送信するように指示する。この結果、ヘッドエンド装置１０−２のＩＰ送信部１５は、復調部１２から供給されるＴＳまたはＴＬＶを、ネットワーク５０を介してヘッドエンド装置１０−１に送信する。
【００５０】
ステップＳ２０では、制御部３１は、Ａ系に対してＩＰ受信信号を配信するように指示する。この結果、ヘッドエンド装置１０−１の切換部１３は、ＩＰ受信部１６から供給されるＴＳまたはＴＬＶを、ＣＡＴＶ出力部１４を介して加入者宅内装置２０−１に配信する。なお、切り換えが終了するまでは、アンテナ１１によって受信した衛星放送信号を配信する。これにより、停波が生じないようにすることができる。
【００５１】
つぎに、図５を参照して、図２に示すヘッドエンド装置１０において実行される処理の一例を説明する。図５に示すフローチャートが開始されると、以下のステップが実行される。
【００５２】
ステップＳ３０では、ＩＰ送信部１５は、復調部１２から出力される信号品質情報を監視制御装置３０に送信する。より詳細には、ＩＰ送信部１５は、復調部１２から供給されるＭＥＲおよび／またはＢＥＲを監視制御装置３０に対して送信する。
【００５３】
ステップＳ３１では、ＩＰ受信部１６は、監視制御装置３０から送信される指示情報を受信する。より詳細には、図４に示す、ステップＳ１３〜ステップＳ２０のいずれかにおいて送信される指示を受信する。
【００５４】
ステップＳ３２では、ステップＳ３１で受信した指示情報を参照し、Ａ系に切り換える指示を受けたか否かを判定し、Ａ系に切り換える指示を受けたと判定した場合（ステップＳ３２：Ｙ）にはステップＳ３３に進み、それ以外の場合（ステップＳ３２：Ｎ）にはステップＳ３５に進む。
【００５５】
ステップＳ３３では、アンテナ受信信号を配信する。より詳細には、切換部１３は、復調部１２から供給されるＴＳまたはＴＬＶを、ＣＡＴＶ出力部１４を介して配下の加入者宅内装置２０に配信する。
【００５６】
ステップＳ３４では、アンテナ受信信号を送信する。より詳細には、ＩＰ送信部１５は、復調部１２から供給されるＴＳまたはＴＬＶを、ネットワーク５０を介して他のヘッドエンド装置に対して送信する。
【００５７】
ステップＳ３５では、アンテナ受信信号の送信を停止する。より詳細には、ＩＰ送信部１５は、復調部１２から供給されるＴＳまたはＴＬＶを送信する動作を停止する。
【００５８】
ステップＳ３６では、ＩＰ受信信号を配信する。より詳細には、切換部１３は、ＩＰ受信部１６から供給されるＴＳまたはＴＬＶを、ＣＡＴＶ出力部１４を介して配下の加入者宅内装置２０に配信する。
【００５９】
以上のフローチャートによれば、第１実施形態の動作を実現することができる。
【００６０】
（Ｃ）本発明の第２実施形態の構成の説明
図６は、本発明の第２実施形態の構成例を示す図である。図６において、図１と対応する部分には同じ符号を付してその説明を省略する。図６では、図１と比較すると、ヘッドエンド装置Ｃ６０（以下、適宜、「ヘッドエンド装置Ｃ」または「ヘッドエンド装置６０」と称する）および加入者宅内装置２０−３が追加されている。これら以外の構成は、図１と同様である。
【００６１】
ここで、加入者宅内装置２０−３は、第１実施形態と同様の構成を有している。また、ヘッドエンド装置６０は、図２に示すヘッドエンド装置１０とは構成が一部異なっている。
【００６２】
図７は、図６に示すヘッドエンド装置６０の詳細な構成例を示す図である。図７に示す構成例では、ヘッドエンド装置６０は、切換部１３、ＣＡＴＶ出力部１４、ＩＰ受信部１６−１，１６−２を有している。
【００６３】
切換部１３は、ＩＰ受信部１６−１から出力されるＴＳまたはＴＬＶ、および、ＩＰ受信部１６−２から出力されるＴＳまたはＴＬＶのいずれか一方を選択してＣＡＴＶ出力部１４に供給する。
【００６４】
ＣＡＴＶ出力部１４は、切換部１３から供給されるＴＳまたはＴＬＶを変調（例えば、ＱＡＭ変調）して出力する。
【００６５】
ＩＰ受信部１６−１は、例えば、ヘッドエンド装置１０−１からネットワーク５０を介して送信されるパケットを受信し、パケットに含まれるＴＳまたはＴＬＶを抽出し、切換部１３に供給する。ＩＰ受信部１６−２は、例えば、ヘッドエンド装置１０−２からネットワーク５０を介して送信されるパケットを受信し、パケットに含まれるＴＳまたはＴＬＶを抽出し、切換部１３に供給する。
【００６６】
（Ｄ）本発明の第２実施形態の動作の説明
つぎに、本発明の第２実施形態の動作について説明する。なお、第２実施形態では、ヘッドエンド装置１０−１，１０−２および加入者宅内装置２０−１，２０−２の動作は、第１実施形態と同様であるのでその説明は適宜省略する。
【００６７】
第２実施形態では、第１実施形態と同様に、ヘッドエンド装置１０−１およびヘッドエンド装置１０−２のうち、衛星放送信号の品質が良い方が監視制御装置３０によって選択され、ＴＳまたはＴＬＶを含むパケットがネットワーク５０を介して他方のヘッドエンド装置に供給される。
【００６８】
より詳細には、監視制御装置３０は、ヘッドエンド装置６０に指示情報を送り、切換部１３にＩＰ受信部１６−１，１６−２のいずれか一方を選択させる。例えば、ヘッドエンド装置１０−１の方がヘッドエンド装置１０−２に比較して、アンテナ１１によって受信される衛星放送信号の品質（例えば、ＭＥＲおよび／またはＢＥＲの値）が良い場合、監視制御装置３０は、ヘッドエンド装置１０−１に指示情報を送り、アンテナ１１で受信して復調部１２で復調されて得られたＴＳまたはＴＬＶを、ネットワーク５０を介して送信させる。また、復調部１２で復調されて得られたＴＳまたはＴＬＶをＣＡＴＶ出力部１４に供給させる。
【００６９】
また、監視制御装置３０は、ヘッドエンド装置１０−２に指示情報を供給し、ヘッドエンド装置１０−１からネットワーク５０を介して送信されるパケットを受信させ、切換部１３を介してＣＡＴＶ出力部１４に供給させる。さらに、ヘッドエンド装置１０−２に対して、ＩＰ送信部１５による送信動作を停止させる。
【００７０】
さらに、監視制御装置３０は、ヘッドエンド装置６０に指示情報を供給し、ＩＰ受信部１６−１から出力される、ヘッドエンド装置１０−１から送信されたＴＳまたはＴＬＶをＣＡＴＶ出力部１４に供給させる。
【００７１】
以上の動作により、ヘッドエンド装置１０−１によって受信される衛星放送信号の品質が良い場合には、ヘッドエンド装置１０−１によって受信された衛星放送信号が加入者宅内装置２０−１に対して配信されるとともに、ネットワーク５０を介してヘッドエンド装置１０−２に供給され、その配下の加入者宅内装置２０−２にも供給される。また、ヘッドエンド装置１０−１によって受信された衛星放送信号がヘッドエンド装置６０を介して加入者宅内装置２０−３に配信される。
【００７２】
なお、前述した状況において、例えば、降雨減衰等の影響によって、ヘッドエンド装置１０−１よりもヘッドエンド装置１０−２の衛星放送信号の品質が良好となった場合には、監視制御装置３０がこれを検出し、ヘッドエンド装置１０−２に対して衛星放送信号を加入者宅内装置２０−２に配信させる。また、ヘッドエンド装置１０−１に対して、ネットワーク５０を介して衛星放送信号を送信する動作を停止させる。また、ヘッドエンド装置１０−２に対して、ネットワーク５０を介してヘッドエンド装置１０−１およびヘッドエンド装置６０に衛星放送信号を供給させる。さらに、ヘッドエンド装置１０−１に対して、ヘッドエンド装置１０−２から供給される衛星放送信号を受信して加入者宅内装置２０−１に供給させる。さらに、ヘッドエンド装置６０には、ＩＰ受信部１６−２から供給されるＴＳおよびＴＬＶをＣＡＴＶ出力部１４に供給するように切換部１３を制御させる。
【００７３】
以上に説明したように、本発明の第２実施形態によれば、アンテナ１１を有しないヘッドエンド装置６０が存在する場合に、ヘッドエンド装置１０−１，１０−２のうち、衛星放送信号の品質が良い方を選択して供給することができる。
【００７４】
また、以上の第２実施形態では、ヘッドエンド装置１０−１，１０−２のうち、衛星放送信号の品質が良い方を選択して、ネットワーク５０に送信させ、他方は送信を停止するようにしたので、ネットワーク５０を伝送させるデータの量が増加することを防止できる。
【００７５】
（Ｅ）本発明の第３実施形態の構成の説明
つぎに、本発明の第３実施形態について説明する。図８は、本発明の第３実施形態の構成例を示す図である。図８において、図１と対応する部分には同じの符号を付してその説明を省略する。図８では、図１と比較すると、ヘッドエンド装置１０−１，１０−２がヘッドエンド装置７０−１，７０−２に置換されるとともに、ヘッドエンド装置Ｃ７０−３（以下、適宜「ヘッドエンド装置Ｃ」または「ヘッドエンド装置７０−３」と称する）および加入者宅内装置２０−３が追加されている。これら以外の構成は、図１と同様である。
【００７６】
ここで、ヘッドエンド装置７０−１〜７０−３は、図９に示す構成を有している。なお、図９において、図２と対応する部分には同一の符号を付してその説明を省略する。図９に示す例では、図２と比較すると、１つのＩＰ受信部１６が、２つのＩＰ受信部１６−１，１６−２に変更されている。これ以外の構成は図２と同様である。また、加入者宅内装置２０−３は、第１実施形態と同様の構成を有している。
【００７７】
（Ｆ）本発明の第３実施形態の動作の説明
つぎに、本発明の第３実施形態の動作について説明する。第３実施形態では、監視制御装置３０は、ヘッドエンド装置７０−１〜７０−３から衛星放送信号の信号品質情報を受信し、これらの品質の順にベスト１〜ベスト３に分類する。より詳細には、監視制御装置３０は、ヘッドエンド装置７０−１〜７０−３から衛星放送信号の信号品質を示すＭＥＲおよび／またはＢＥＲを信号品質情報として受信し、これらを品質が良い順に並べる。この結果、例えば、ヘッドエンド装置７０−１、ヘッドエンド装置７０−２、ヘッドエンド装置７０−３の順に衛星放送信号の品質が良いことが明らかになったとすると、これを順にベスト１〜ベスト３とする。なお、ＢＥＲは、符号訂正が機能しない程度に信号品質が劣化した場合に値が急激に変化する。このため、衛星放送信号の品質を判定する方法としては、例えば、信号品質が良好な場合には、ＭＥＲを優先的に採用して信号品質を判定し、ＭＥＲが劣化した場合にＢＥＲを採用して判定するようにしてもよい。また、ＣＮ（Carrier Noise）比や、受信レベルを参照して、信号品質を判定するようにしてもよい。
【００７８】
監視制御装置３０は、衛星放送信号の品質に応じて、ヘッドエンド装置７０−１〜７０−３を設定する。図１０は、監視制御装置３０によるヘッドエンド装置７０−１〜７０−３の設定の一例を示す図である。図１０において、「信号品質」は、ヘッドエンド装置７０−１〜７０−３のアンテナ１１によって受信される衛星放送信号の品質の序列（ベスト１〜ベスト３）を示している。また、「配信」は、ヘッドエンド装置７０−１〜７０−３が配下の加入者宅内装置２０−１〜２０−３に対して供給する衛星放送信号の供給元を示している。また、「送信」は、ヘッドエンド装置７０−１〜７０−３がネットワーク５０に対してパケットを送信するか否かを示している。また、「ケース１」〜「ケース３」は、後述するように、信号品質が変化した場合の分類の一例を示している。
【００７９】
なお、以下では、ヘッドエンド装置７０−１〜７０−３がそれぞれレベル１〜レベル３である場合を例に挙げて説明する。監視制御装置３０は、図１０に示すように、衛星放送信号の品質がベスト１と判定したヘッドエンド装置７０−１については、アンテナ１１からの受信信号をＣＡＴＶ出力部１４に供給するように指示するとともに、アンテナ１１からの受信信号を、ＩＰ送信部１５を介してネットワーク５０に対してマルチキャスト（またはブロードキャスト）によって送信するように指示する。
【００８０】
また、監視制御装置３０は、図１０に示すように、衛星放送信号の品質がベスト２と判定したヘッドエンド装置７０−２については、ベスト１であるヘッドエンド装置７０−１から受信したパケットから抽出したＴＳまたはＴＬＶをＣＡＴＶ出力部１４に供給するように指示するとともに、アンテナ１１からの受信信号を、ＩＰ送信部１５を介してネットワーク５０に対してマルチキャスト（またはブロードキャスト）によって送信するように指示する。
【００８１】
さらに、監視制御装置３０は、図１０に示すように、衛星放送信号の品質がベスト３と判定したヘッドエンド装置７０−３については、ベスト１であるヘッドエンド装置７０−１から受信したパケットから抽出したＴＳまたはＴＬＶをＣＡＴＶ出力部１４に供給するように指示をするとともに、ＩＰ送信部１５によるパケットの送信を停止するように指示する。
【００８２】
以上の動作によって、衛星放送信号の信号品質がベスト１のヘッドエンド装置によって受信された衛星放送信号が加入者宅内装置２０−１〜２０−３に配信されるので、各加入者は最も品質が良い衛星放送を視聴することができる。
【００８３】
また、以上の動作によれば、衛星放送信号の信号品質がベスト１およびベスト２のヘッドエンド装置はネットワーク５０に対してパケットを送出し、ベスト３のヘッドエンド装置についてはパケットの送出を停止するようにしたので、３台のヘッドエンド装置が全てパケットを送出する場合に比較して、ネットワーク５０を伝送されるデータ量を削減することができる。
【００８４】
なお、前述したような場合において、衛星放送信号の品質がベスト１のヘッドエンド装置７０−１の受信品質が、例えば、降雨減衰等によってヘッドエンド装置７０−２のそれよりも劣化したとする。そのような場合には、監視制御装置３０は、ヘッドエンド装置７０−１〜７０−３の設定を以下のように変更する。
【００８５】
より詳細には、監視制御装置３０は、図１０にケース１として示す、ベスト１とベスト２を入れ換える設定を実行する。例えば、ヘッドエンド装置７０−１をベスト１からベスト２へ、また、ヘッドエンド装置７０−２をベスト２からベスト１へ変更する場合、図１０のベスト１およびベスト２の比較から、「送信」については設定の変更はない。一方、配信については、ベスト１がアンテナ１１からの受信信号を配信するのに対して、ベスト２はベスト１からのパケットを配信する。そこで、監視制御装置３０は、ヘッドエンド装置７０−１に対して、ＩＰ受信部１６から供給されるＴＳまたはＴＬＶをＣＡＴＶ出力部１４に供給するように指示する。また、監視制御装置３０は、ヘッドエンド装置７０−２に対して、復調部１２から供給されるＴＳまたはＴＬＶをＣＡＴＶ出力部１４に供給するように指示する。なお、ヘッドエンド装置７０−１，７０−２における、切換部１３による切り換えの際に、タイミングを調整することで、データの一部が欠落し、画像や音声が乱れることを防止できる。すなわち、シームレスの切り換えを実現できる。
【００８６】
また、監視制御装置３０は、ヘッドエンド装置７０−３に対して、パケットの受信先をヘッドエンド装置７０−１からヘッドエンド装置７０−２に変更するように指示する。例えば、ヘッドエンド装置７０−３がＩＰ受信部１６−１によってヘッドエンド装置７０−１からのパケットを受信し、ＩＰ受信部１６−２によってヘッドエンド装置７０−２からのパケットを受信しているとすると、切換部１３によってＩＰ受信部１６−１からＩＰ受信部１６−２に選択を変更する。このとき、ヘッドエンド装置７０−３が切換のタイミングを調整することで、データの一部が欠落し、画像や音声が乱れることを防止できる。すなわち、シームレスの切り換えを実現できる。
【００８７】
以上は、ベスト１とベスト２を入れ換える場合の動作であるが、ベスト２とベスト３を入れ換えることも可能である。例えば、ヘッドエンド装置７０−１〜７０−３がそれぞれベスト１〜ベスト３である場合に、ベスト２とベスト３を入れ換えることを考える。この場合、監視制御装置３０は、ヘッドエンド装置７０−２に対して、ＩＰ送信部１５によるパケットの送信を停止させる。この結果、ヘッドエンド装置７０−１，７０−３は、ヘッドエンド装置７０−２からのパケットの受信を終了する。
【００８８】
つぎに、監視制御装置３０は、ヘッドエンド装置７０−３に対して、復調部１２から出力されるＴＳまたはＴＬＶを、ＩＰ送信部１５を介してマルチキャストまたはブロードキャストで送信するように指示する。この結果、ヘッドエンド装置７０−１，７０−２は、ヘッドエンド装置７０−３から送信されるパケットの受信を開始する。
【００８９】
以上の動作によって、図１０にケース２として示すベスト２とベスト３のヘッドエンド装置の入れ換えを実行することができる。
【００９０】
つぎに、図１０にケース３として示す、ベスト１とベスト３を入れ換える場合の動作について説明する。例えば、ヘッドエンド装置７０−１〜７０−３がそれぞれベスト１〜ベスト３である場合に、ベスト１とベスト３を入れ換えることを考える。この場合、入れ換え後は、ヘッドエンド装置７０−１がパケット送信を停止する。入れ換え前の状態では、ヘッドエンド装置７０−２，７０−３は、ヘッドエンド装置７０−１からのパケットを受信して配信している。また、入れ換え前の状態では、ヘッドエンド装置７０−３はパケットを送信していない。このため、ヘッドエンド装置７０−１によるパケットの送信を停止すると、衛星放送信号の配信が途絶してしまう。そこで、本実施形態では、まず、ヘッドエンド装置７０−２に対して、パケットの送信を停止させる。つぎに、ヘッドエンド装置７０−３に対して、パケットの送信を開始させるとともに、アンテナ１１の出力をＣＡＴＶ出力部１４によって配信させる。このとき、ヘッドエンド装置７０−３の切換部１３の切り換えのタイミングを調整することで、データの一部が欠落し、画像や音声が乱れることを防止できる。これにより、ヘッドエンド装置７０−３は、図１０に示すベスト１の状態になる。
【００９１】
つぎに、監視制御装置３０は、ヘッドエンド装置７０−１，７０−２に対して、ヘッドエンド装置７０−３から送信されるパケットを受信して配信するように指示する。このとき、ヘッドエンド装置７０−１，７０−２の切換部１３の切り換えのタイミングを調整することで、データの一部が欠落し、画像や音声が乱れることを防止できる。
【００９２】
つぎに、監視制御装置３０は、ヘッドエンド装置７０−１に対して、パケットの送信を停止させる。これにより、ヘッドエンド装置７０−１は、図１０に示すベスト３の状態になる。
【００９３】
つぎに、監視制御装置３０は、ヘッドエンド装置７０−２に対して、パケットの送信を再開させる。これにより、ヘッドエンド装置７０−２は、図１０に示すベスト２の状態に戻る。
【００９４】
以上に説明したように、本発明の第３実施形態によれば、衛星放送信号の品質がベスト１およびベスト２のヘッドエンド装置が衛星放送信号を、ネットワーク５０を介して送信するようにしたので、これらのいずれかの品質が劣化した場合でも、画像や音声が乱れることなく、切り換えを行うことができる。また、２つのヘッドエンド装置に限定して衛星放送信号を送信させることで、ネットワーク５０の必要な伝送容量を低減することができる。
【００９５】
つぎに、図１１〜図１３を参照して、第３実施形態の詳細な動作について説明する。
【００９６】
図１１は、監視制御装置３０において初回に実行される処理の一例を説明するためのフローチャートである。図１１に示すフローチャートが開始されると、以下のステップが実行される。
【００９７】
ステップＳ５０では、制御部３１は、３つのヘッドエンド装置７０−１〜７０−３から衛星放送信号の信号品質情報を取得する。より詳細には、ヘッドエンド装置７０−１〜７０−３からＭＥＲおよび／またはＢＥＲを取得する。
【００９８】
ステップＳ５１では、制御部３１は、ステップＳ５０で取得した信号品質情報を比較する。
【００９９】
ステップＳ５２では、制御部３１は、ステップＳ５１の比較結果に基づいて、信号品質のベスト１〜ベスト３を決定する。例えば、ベスト１〜ベスト３として、図８に示す、ヘッドエンド装置７０−１〜７０−３のそれぞれが決定される。
【０１００】
ステップＳ５３では、制御部３１は、ステップＳ５２においてベスト１に決定されたヘッドエンド装置に対してアンテナ受信信号を配信するように指示情報を送信する。より詳細には、いまの例では、ベスト１に決定されたヘッドエンド装置１０−１に対して、復調部１２から出力されるＴＳまたはＴＬＶをＣＡＴＶ出力部１４に供給させる。
【０１０１】
ステップＳ５４では、制御部３１は、ステップＳ５２においてベスト１に決定されたヘッドエンド装置に対してアンテナ受信信号を送信するように指示情報を送信する。より詳細には、いまの例では、ベスト１に決定されたヘッドエンド装置１０−１に対して、復調部１２から出力されるＴＳまたはＴＬＶを、ＩＰ送信部１５を介してネットワーク５０にマルチキャストまたはブロードキャストにより送信させる。
【０１０２】
ステップＳ５５では、制御部３１は、ステップＳ５２においてベスト２に決定されたヘッドエンド装置に対して、ベスト１に決定されたヘッドエンド装置から送信された信号（ＩＰ受信信号）を配信するように指示情報を送信する。より詳細には、いまの例では、ベスト２に決定されたヘッドエンド装置１０−２に対して、ベスト１に決定されたヘッドエンド装置１０−１から送信されＩＰ受信部１６−１によって受信されたＴＳまたはＴＬＶをＣＡＴＶ出力部１４に供給させる。
【０１０３】
ステップＳ５６では、制御部３１は、ステップＳ５２においてベスト２に決定されたヘッドエンド装置に対して、アンテナ受信信号を送信するように指示情報を送信する。より詳細には、いまの例では、ベスト２に決定されたヘッドエンド装置１０−２に対して、復調部１２から出力されるＴＳまたはＴＬＶを、ＩＰ送信部１５を介してネットワーク５０にマルチキャストまたはブロードキャストにより送信させる。
【０１０４】
ステップＳ５７では、制御部３１は、ステップＳ５２においてベスト３に決定されたヘッドエンド装置に対して、ベスト１に決定されたヘッドエンド装置から送信された信号（ＩＰ受信信号）を配信するように指示情報を送信する。より詳細には、いまの例では、ベスト３に決定されたヘッドエンド装置１０−３に対して、ベスト１に決定されたヘッドエンド装置１０−１から送信されＩＰ受信部１６−１によって受信されたＴＳまたはＴＬＶをＣＡＴＶ出力部１４に供給させる。
【０１０５】
ステップＳ５８では、制御部３１は、ステップＳ５２においてベスト３に決定されたヘッドエンド装置に対してアンテナ受信信号の送信の停止を指示する。より詳細には、いまの例では、ベスト３に決定されたヘッドエンド装置１０−３に対して、復調部１２から出力されるＴＳまたはＴＬＶを、ＩＰ送信部１５を介してネットワーク５０に送信する動作を停止させる。
【０１０６】
つぎに、図１２を参照して、図９に示すヘッドエンド装置１０において実行される処理の一例について説明する。図１２に示すフローチャートの処理が開始されると以下のステップが実行される。
【０１０７】
ステップＳ７０では、ＩＰ送信部１５は、復調部１２から信号品質情報を取得し、監視制御装置３０に送信する。より詳細には、ＩＰ送信部１５は、復調部１２からＭＥＲおよび／またはＢＥＲを信号品質情報として取得し、監視制御装置３０に送信する。
【０１０８】
ステップＳ７１では、ＩＰ受信部１６−１（またはＩＰ受信部１６−２）は、監視制御装置３０から指示情報を受信する。より詳細には、ＩＰ受信部１６−１（またはＩＰ受信部１６−２）は、監視制御装置３０から、図１２に示す、ステップＳ５２〜ステップＳ５８において送信される指示情報を受信する。
【０１０９】
ステップＳ７２では、切換部１３は、監視制御装置３０からの指示情報により、アンテナ送信（アンテナ１１で受信した衛星放送信号をネットワーク５０に送信）することが指示されているか否かを判定し、アンテナ送信が指示されていると判定した場合（ステップＳ７２：Ｙ）にはステップＳ７３に進み、それ以外の場合（ステップＳ７２：Ｎ）にはステップＳ７４に進む。
【０１１０】
ステップＳ７３では、切換部１３は、アンテナ受信信号をネットワーク５０に送信させる。より詳細には、例えば、切換部１３は、復調部１２から供給されるＴＳまたはＴＬＶを、ＩＰ送信部１５を介してマルチキャストまたはブロードキャストによって、他のヘッドエンド装置に対して送信させる。
【０１１１】
ステップＳ７４では、切換部１３は、アンテナ受信信号のネットワーク５０への送信を停止させる。より詳細には、例えば、切換部１３は、復調部１２から供給されるＴＳまたはＴＬＶのＩＰ送信部１５への供給を停止することで、アンテナ受信信号のネットワーク５０への送信を停止させる。
【０１１２】
ステップＳ７５では、切換部１３は、アンテナ配信（アンテナ１１で受信した衛星放送信号をＣＡＴＶ出力部１４により配信）するか否かを判定し、アンテナ配信すると判定した場合（ステップＳ７５：Ｙ）にはステップＳ７６に進み、それ以外の場合（ステップＳ７５：Ｎ）にはステップＳ７７に進む。例えば、アンテナ１１によって受信された衛星放送信号を、ＣＡＴＶ出力部１４を介して配下の加入者宅内装置２０に配信する場合には、Ｙと判定してステップＳ７６に進む。
【０１１３】
ステップＳ７６では、切換部１３は、アンテナ受信信号を配信する。より詳細には、例えば、切換部１３は、アンテナ１１によって受信され、復調部１２による復調処理によって得られたＴＳまたはＴＬＶを、ＣＡＴＶ出力部１４を介して、加入者宅内装置２０に配信する。
【０１１４】
ステップＳ７７では、切換部１３は、ＩＰ受信信号を配信する。より詳細には、例えば、切換部１３は、ＩＰ受信部１６−１（またはＩＰ受信部１６−２）によって受信された他のヘッドエンド装置からのパケットからＴＳまたはＴＬＶを抽出し、ＣＡＴＶ出力部１４を介して加入者宅内装置２０に配信する。
【０１１５】
つぎに、図１３を参照して、図１１に示す処理が実行された後に、監視制御装置３０において実行される処理の一例について説明する。図１３に示すフローチャートが開始されると、以下のステップが実行される。
【０１１６】
ステップＳ９０では、制御部３１は、３つのヘッドエンド装置から信号品質情報を取得する。より詳細には、制御部３１は、３つのヘッドエンド装置７０−１〜７０−３からＭＥＲおよび／またはＢＥＲを取得する。
【０１１７】
ステップＳ９１では、制御部３１は、ステップＳ９０で取得した信号品質情報を比較する。より詳細には、制御部３１は、ステップＳ９０において、ヘッドエンド装置７０−１〜７０−３から取得したＭＥＲおよび／またはＢＥＲを比較する。
【０１１８】
ステップＳ９２では、制御部３１は、ステップＳ９１における比較結果に基づいて、信号品質のベスト１〜ベスト３を決定する。
【０１１９】
ステップＳ９３では、制御部３１は、ステップＳ９２で新たに決定したベスト１〜ベスト３と、１つ前のベスト１〜ベスト３と比較する。
【０１２０】
ステップＳ９４では、制御部３１は、ステップＳ９３における比較に基づいて、図１０に示すケース１に該当するか否かを判定し、該当すると判定した場合（ステップＳ９４：Ｙ）にはステップＳ９５に進み、それ以外の場合（ステップＳ９４：Ｎ）にはステップＳ９８に進む。より詳細には、１つ前のベスト１〜ベスト３と比較して、新たなベスト１とベスト２が入れ替わっている場合には、Ｙと判定してステップＳ９５に進む。例えば、１つ前のベスト１〜ベスト３がヘッドエンド装置７０−１〜７０−３である場合に、新たなベスト１〜ベスト３がヘッドエンド装置７０−２，７０−１，７０−３である場合にはＹと判定してステップＳ９５に進む。
【０１２１】
ステップＳ９５では、制御部３１は、１つ前のベスト１に該当するヘッドエンド装置に対して、１つ前のベスト２に該当するヘッドエンド装置からのＩＰ受信信号を配信するように指示する。いまの例では、ヘッドエンド装置７０−１に対して、ヘッドエンド装置７０−２からのＩＰ受信信号を配信するように指示する。
【０１２２】
ステップＳ９６では、制御部３１は、１つ前のベスト２に該当するヘッドエンド装置に対して、アンテナ１１から受信した衛星放送信号を配信するように指示する。いまの例では、ヘッドエンド装置７０−２に対して、アンテナ１１から受信した衛星放送信号を、ＣＡＴＶ出力部１４を介して配信するように指示する。
【０１２３】
ステップＳ９７では、制御部３１は、１つ前のベスト３に該当するヘッドエンド装置に対して、１つ前のベスト２に該当するヘッドエンド装置からのＩＰ受信信号を配信するように指示する。いまの例では、ヘッドエンド装置７０−３に対して、ヘッドエンド装置７０−２からのＩＰ受信信号を、ＣＡＴＶ出力部１４を介して配信するように指示する。
【０１２４】
ステップＳ９８では、制御部３１は、ステップＳ９３における比較に基づいて、図１０に示すケース２に該当するか否かを判定し、該当すると判定した場合（ステップＳ９８：Ｙ）にはステップＳ９９に進み、それ以外の場合（ステップＳ９８：Ｎ）にはステップＳ１０１に進む。より詳細には、１つ前のベスト１〜ベスト３と比較して、新たなベスト２とベスト３が入れ替わっている場合には、Ｙと判定してステップＳ９９に進む。例えば、１つ前のベスト１〜ベスト３がヘッドエンド装置７０−１〜７０−３である場合に、新たなベスト１〜ベスト３がヘッドエンド装置７０−１，７０−３，７０−２である場合にはＹと判定してステップＳ９９に進む。
【０１２５】
ステップＳ９９では、制御部３１は、１つ前のベスト２に該当するヘッドエンド装置に対して、アンテナ１１から受信した衛星放送信号の送信を停止するように指示する。いまの例では、ヘッドエンド装置７０−２に対して、アンテナ１１から受信した衛星放送信号のＩＰ送信部１５による送信を停止するように指示する。
【０１２６】
ステップＳ１００では、制御部３１は、１つ前のベスト３に該当するヘッドエンド装置に対して、アンテナ１１から受信した衛星放送信号の送信を開始するように指示する。いまの例では、ヘッドエンド装置７０−３に対して、アンテナ１１から受信した衛星放送信号のＩＰ送信部１５による送信を開始するように指示する。
【０１２７】
ステップＳ１０１では、制御部３１は、ステップＳ９３における比較に基づいて、図１０に示すケース３に該当するか否かを判定し、該当すると判定した場合（ステップＳ１０１：Ｙ）にはステップＳ１０２に進み、それ以外の場合（ステップＳ１０１：Ｎ）には処理を終了する。より詳細には、１つ前のベスト１〜ベスト３と比較して、新たなベスト１とベスト３が入れ替わっている場合には、Ｙと判定してステップＳ１０２に進む。例えば、１つ前のベスト１〜ベスト３がヘッドエンド装置７０−１〜７０−３である場合に、新たなベスト１〜ベスト３がヘッドエンド装置７０−３，７０−２，７０−１である場合にはＹと判定してステップＳ１０２に進む。
【０１２８】
ステップＳ１０２では、制御部３１は、１つ前のベスト２に該当するヘッドエンド装置に対して、アンテナ１１から受信した衛星放送信号の送信を停止するように指示する。いまの例では、ヘッドエンド装置７０−２に対して、アンテナ１１から受信した衛星放送信号のＩＰ送信部１５による送信を停止するように指示する。
【０１２９】
ステップＳ１０３では、制御部３１は、１つ前のベスト３に該当するヘッドエンド装置に対して、アンテナ１１から受信した衛星放送信号を送信するように指示する。いまの例では、ヘッドエンド装置７０−３に対して、アンテナ１１から受信した衛星放送信号をＩＰ送信部１５によって送信するように指示する。
【０１３０】
ステップＳ１０４では、制御部３１は、１つ前のベスト３に該当するヘッドエンド装置に対して、アンテナ１１から受信した衛星放送信号を配信するように指示する。いまの例では、ヘッドエンド装置７０−３に対して、アンテナ１１から受信した衛星放送信号を配下の加入者宅内装置２０−３にＣＡＴＶ出力部１４によって配信するように指示する。
【０１３１】
ステップＳ１０５では、制御部３１は、１つ前のベスト１に該当するヘッドエンド装置に対して、１つ前のベスト３に該当するヘッドエンド装置からのＩＰ受信信号を配信するように指示する。いまの例では、ヘッドエンド装置７０−１に対して、ヘッドエンド装置７０−３からのＩＰ受信信号を配下の加入者宅内装置２０−１にＣＡＴＶ出力部１４によって配信するように指示する。
【０１３２】
ステップＳ１０６では、制御部３１は、１つ前のベスト２に該当するヘッドエンド装置に対して、１つ前のベスト３に該当するヘッドエンド装置からのＩＰ受信信号を配信するように指示する。いまの例では、ヘッドエンド装置７０−２に対して、ヘッドエンド装置７０−３からのＩＰ受信信号を配下の加入者宅内装置２０−２にＣＡＴＶ出力部１４によって配信するように指示する。
【０１３３】
ステップＳ１０７では、制御部３１は、１つ前のベスト１に該当するヘッドエンド装置に対して、アンテナ１１から受信した衛星放送信号の送信を停止するように指示する。いまの例では、ヘッドエンド装置７０−１に対して、アンテナ１１から受信した衛星放送信号のＩＰ送信部１５による送信を停止するように指示する。
【０１３４】
ステップＳ１０８では、制御部３１は、１つ前のベスト２に該当するヘッドエンド装置に対して、アンテナ１１から受信した衛星放送信号を送信するように指示する。いまの例では、ヘッドエンド装置７０−２に対して、アンテナ１１から受信した衛星放送信号のＩＰ送信部１５による送信を開始するように指示する。
【０１３５】
以上の処理によれば、前述した第３実施形態の動作を実現することができる。
【０１３６】
（Ｅ）変形実施形態の説明
以上の実施形態は一例であって、本発明が上述したような場合のみに限定されるものでないことはいうまでもない。例えば、以上の各実施形態では、監視制御装置３０は、ネットワーク５０に接続する独立した構成としたが、例えば、ヘッドエンド装置のいずれかに内蔵したり、接続したりするようにしてもよい。
【０１３７】
また、図７に示すヘッドエンド装置６０を、図８に示す第３実施形態に接続するようにしてもよい。なお、そのような構成の場合、ヘッドエンド装置６０は、ＩＰ送信することができないので、ヘッドエンド装置６０は、他のヘッドエンド装置から受信したＩＰ受信信号を配信するようにすればよい。
【０１３８】
また、以上の各実施形態では、ヘッドエンド装置が２台または３台の場合を例に挙げて説明したか、ヘッドエンド装置が４台以上存在するようにしてもよい。また、ヘッドエンド装置を冗長構成としてもよいことは言うまでもない。
【０１３９】
また、図１０では、２つのヘッドエンド装置の信号品質の順位が変化した場合を例に挙げて説明したが、３つのヘッドエンド装置の信号品質の順位が変化した場合には、２つずつに分解することで、３つのヘッドエンド装置の信号品質の順位が変化した場合にも対応することができる。
【０１４０】
また、以上の各実施形態では、図面を簡略化するために、ＣＡＴＶ出力部１４には１台の加入者宅内装置２０が接続されるようにしたが、複数の加入者宅内装置２０が接続されるようにしてもよいことは言うまでもない。
【０１４１】
また、図７および図９では、２つのＩＰ受信部を有するようにしたが、１つのＩＰ受信部によって複数のヘッドエンド装置からのパケットを受信するようにしてもよい。２つ以上のＩＰ受信部を有するようにしてもよいことは言うまでもない。
【０１４２】
また、以上の各実施形態では、衛星放送信号の品質をＭＥＲおよび／またはＢＥＲを用いて判定するようにしたが、例えば、ＣＮ比または信号レベルを参照して判定するようにしてもよい。また、ＭＥＲ、ＢＥＲ、ＣＮ比、および、信号レベルの少なくとも１つを用いて信号品質を判定するようにしてもよい。
【０１４３】
また、以上の第１実施形態では、信号品質が変化した場合には、信号品質が悪くなったヘッドエンド装置からの送信を停止した後に、信号品質が良くなったヘッドエンド装置に送信を開始するようにしたが、信号品質が良くなったヘッドエンド装置が送信を開始した後に、信号品質が悪くなったヘッドエンド装置からの送信を停止するようにしてもよい。このような構成によれば、一時的に、２つのヘッドエンド装置からの伝送容量が増加するが、切り換えのタイミングを調整することで、シームレスな切り換えを実現できる。
【０１４４】
また、以上の各実施形態では、監視制御装置３０がヘッドエンド装置に対して配信すべき衛星放送信号を指示するようにした。しかしながら、各ヘッドエンド装置が配信すべき衛星放送信号を各自で判断するようにしてもよい。
【０１４５】
図１４および図１５は、第１実施形態の変形実施形態の動作を説明するためのフローチャートである。なお、図１４および図１５において、図４および図５と対応する部分には同一の符号を付しているのでその説明を省略する。
【０１４６】
図１４は、図４と比較すると、ステップＳ１４、ステップＳ１６、ステップＳ１８、および、ステップＳ２０が省略されている。これら以外は、図４と同様である。
【０１４７】
また、図１５は、図５と比較すると、ステップＳ３３およびステップＳ３６が省略され、ステップＳ３７〜ステップＳ３９が新たに追加されている。これら以外は、図５と同様である。
【０１４８】
図１４に示す変形実施形態では、信号品質に応じて、２つのヘッドエンド装置のいずれが送信するかを判断し、送信の指示を行う。より詳細には、Ａ系の方がＢ系よりも信号品質が良い場合（ステップＳ１２：Ｙ）には、ステップＳ１３においてＢ系にアンテナ受信信号の送信停止を指示し、ステップＳ１５においてＡ系にアンテナ受信信号の送信を指示する。また、Ｂ系の方がＡ系よりも信号品質が良い場合（ステップＳ１２：Ｎ）には、ステップＳ１７においてＡ系にアンテナ受信信号の送信停止を指示し、ステップＳ１９においてＢ系にアンテナ受信信号の送信を指示する。
【０１４９】
また、図１５に示す変形実施形態では、監視制御装置３０からの指示に応じて、アンテナ受信信号の送信を開始または停止する動作を実行する。また、アンテナ受信信号の品質と、ＩＰ受信信号の品質を比較し、品質が良い方の受信信号を配下の加入者宅内装置に対して配信する。
【０１５０】
より詳細には、ステップＳ３２では、Ａ系の信号品質がＢ系の信号品質よりも良好か否かを判定し、良好である場合（ステップＳ３２：Ｙ）にはステップＳ３４に進み、それ以外の場合（ステップＳ３２：Ｎ）にはステップＳ３５に進む。
【０１５１】
ステップＳ３４では、ＩＰ送信部１５は、復調部１２から供給されるＴＳまたはＴＬＶを、ネットワーク５０を介して他のヘッドエンド装置に対して送信する。また、ステップＳ３５では、ＩＰ送信部１５は、復調部１２から供給されるＴＳまたはＴＬＶを送信する動作を停止する。
【０１５２】
ステップＳ３７では、アンテナ受信信号の品質がＩＰ受信信号の品質よりも良好か否かを判定し、良好であると判定した場合（ステップＳ３７：Ｙ）にはステップＳ３８に進み、それ以外の場合（ステップＳ３７：Ｎ）にはステップＳ３９に進む。なお、ステップＳ３７の処理は、アンテナ受信信号を送信しているヘッドエンド装置では実行されず、アンテナ受信信号を送信していないヘッドエンド装置で実行される。
【０１５３】
ステップＳ３８では、切換部１３は、復調部１２から供給されるＴＳまたはＴＬＶを、ＣＡＴＶ出力部１４を介して配下の加入者宅内装置２０に配信する。また、ステップＳ３９では、切換部１３は、ＩＰ受信部１６から供給されるＴＳまたはＴＬＶを、ＣＡＴＶ出力部１４を介して配下の加入者宅内装置２０に配信する。
【０１５４】
以上の処理によれば、ヘッドエンド装置において、アンテナ受信信号とＩＰ受信信号の品質を比較し、品質が良好な方の受信信号を配信するようにしたので、例えば、ネットワーク５０の通信状態が良好でない場合には、アンテナ受信信号を選択することができる。また、処理を分散することで、監視制御装置３０の負荷を低減することができる。
【０１５５】
なお、以上では、図１４および図１５を参照して、第１実施形態の変形実施形態について説明したが、第２実施形態および第３実施形態の場合も同様に、各ヘッドエンド装置がアンテナ受信信号とＩＰ受信信号の品質を比較し、品質が良好な方の受信信号を配信するようにすることができる。
【符号の説明】
【０１５６】
１  放送システム
１０，１０−１〜１０−３  ヘッドエンド装置
１１  アンテナ
１２  復調部
１３  切換部
１４  ＣＡＴＶ出力部
１５  ＩＰ送信部
１６，１６−１〜１６−２  ＩＰ受信部
２０，２０−１〜２０−３  加入者宅内装置
３０  監視制御装置
３１  制御部
３２  ＩＰ送信部
３３  ＩＰ受信部
５０  ネットワーク
６０  ヘッドエンド装置
７０−１〜７０−３  ヘッドエンド装置
【図１】
2020005076.tif 000003
【図２】
2020005076.tif 000004
【図３】
2020005076.tif 000005
【図４】
2020005076.tif 000006
【図５】
2020005076.tif 000007
【図６】
2020005076.tif 000008
【図７】
2020005076.tif 000009
【図８】
2020005076.tif 000010
【図９】
2020005076.tif 000011
【図１０】
2020005076.tif 000012
【図１１】
2020005076.tif 000013
【図１２】
2020005076.tif 000014
【図１３】
2020005076.tif 000015
【図１４】
2020005076.tif 000016
【図１５】
2020005076.tif 000017